(57)【要約】【課題】テレビジョン受像機において、オンエアーダウンロードのためにユーザがテレビジョン番組を視聴することができないという事態を防ぐ。【解決手段】テレビジョン受像機は、電源がオフになっていた時間が３時間以上であれば（＃５でＹＥＳ）、オンエアーダウンロード開始時刻が既に設定されているか否かを判定する（＃６）。そして、オンエアーダウンロード開始時刻が未だ設定されていなければ（＃６でＮＯ）、電源がオフになったときから１時間経過後の時刻を、オンエアーダウンロード開始時刻として設定する（＃７）。また、オンエアーダウンロード開始時刻が既に設定されていれば（＃６でＹＥＳ）、電源がオフになったときから１時間経過後の時刻と既に設定されているオンエアーダウンロード開始時刻との平均の時刻を、新規に、次回以降のオンエアーダウンロード開始時刻として設定（オンエアーダウンロード開始時刻の設定を更新）する（＃８）。【選択図】図２
2011114638.tif 000002
【特許請求の範囲】
【請求項１】
テレビジョン放送局から放送されるテレビジョン番組の映像及び音声を出力するテレビジョン受像機において、
テレビジョン放送局から放送されるソフトウェアをダウンロードするオンエアーダウンロード手段と、
前記テレビジョン放送局から放送されるソフトウェアのダウンロードを開始するオンエアーダウンロード開始時刻を設定する開始時刻設定手段とを備え、
前記開始時刻設定手段は、
過去に自機の電源がオフになっていた時間帯に基いて、ユーザが前記テレビジョン放送局から放送されるテレビジョン番組を視聴していないと推定される時間帯に、前記テレビジョン放送局から放送されるソフトウェアのダウンロードを開始して該ダウンロードを完了し得るように、前記オンエアーダウンロード開始時刻を設定し、
前記オンエアーダウンロード手段は、
前記オンエアーダウンロード開始時刻に、ユーザが前記テレビジョン番組を視聴していない場合に、前記ソフトウェアのダウンロードを開始する、
ことを特徴とするテレビジョン受像機。
【請求項２】
前記開始時刻設定手段は、
曜日毎における過去に自機の電源がオフになっていた時間帯に基いて、曜日毎に前記オンエアーダウンロード開始時刻を設定する、
ことを特徴とする請求項１に記載のテレビジョン受像機。
【請求項３】
前記開始時刻設定手段は、
ある曜日における前記オンエアーダウンロード開始時刻を未だ設定していないときには、その曜日において、自機の電源がオフになったときから３時間以上、電源オフの状態が継続すると、前記自機の電源がオフになったときから１時間経過後の時刻を、その曜日における前記オンエアーダウンロード開始時刻として設定し、
ある曜日における前記オンエアーダウンロード開始時刻を既に設定しているときには、その曜日において、自機の電源がオフになったときから３時間以上、電源オフの状態が継続すると、前記自機の電源がオフになったときから１時間経過後の時刻と既に設定されている前記オンエアーダウンロード開始時刻との平均の時刻を、その曜日における前記オンエアーダウンロード開始時刻として設定する、
ことを特徴とする請求項２に記載のテレビジョン受像機。
【発明の詳細な説明】
【技術分野】
【０００１】
本発明は、テレビジョン放送局から放送されるテレビジョン番組の映像及び音声を出力するテレビジョン受像機に関するものである。
【背景技術】
【０００２】
従来から、テレビジョン受像機は、テレビジョン放送局から送信されるテレビジョン信号を受信して、テレビジョン信号に含まれる映像信号及び音声信号をディスプレイ及びスピーカに供給することにより、テレビジョン放送局から放送されるテレビジョン番組を視聴可能に出力するようになっている。このようなテレビジョン受像機は、テレビジョン受像機の動作を制御するためのソフトウェアを記憶しており、そのソフトウェアに基いて動作するようになっている。
【０００３】
また、このようなテレビジョン受像機において、ソフトウェアをオンエアーダウンロード（テレビジョン放送局から放送されるソフトウェアをダウンロード）して、ソフトウェアを更新するようにしたものがある。テレビジョン放送局は、ソフトウェアを含んだテレビジョン信号を送信することにより、ソフトウェアを放送し、テレビジョン受像機は、テレビジョン放送局から送信されるテレビジョン信号を受信して、テレビジョン信号に含まれているソフトウェアを取得することにより、オンエアーダウンロードするようになっている。
【０００４】
テレビジョン受像機は、オンエアーダウンロードを行っているときには、ソフトウェアの書換えを行っているため、テレビジョン番組の映像及び音声を出力することができない。従って、ユーザは、テレビジョン受像機がオンエアーダウンロードを行っている間、テレビジョン番組を視聴することができない。オンエアーダウンロードを開始してからオンエアーダウンロードを完了するまでには、１時間程度の時間を要する。従来のテレビジョン受像機では、テレビジョン受像機の電源がオフになってから所定時間後（例えば１時間後）に、自動的に、オンエアーダウンロードを開始するようになっている。
【０００５】
一方、ユーザがテレビジョン番組を視聴していない可能性が高い真夜中、真昼等に、テレビジョン放送局からソフトウェアを放送するようにした放送方法が知られている（例えば特許文献１参照）。また、現在視聴中のテレビジョン番組を特定する視聴情報を放送センターへ送信するようにしたテレビジョン受像機が知られている（例えば特許文献２参照）。また、自機の電源をオンしたとき、週間プログラムに電源オン時の時刻に対応して記憶されている放送チャンネルを自動選局するようにしたテレビジョン受像機が知られている（例えば特許文献３参照）。
【先行技術文献】
【特許文献】
【０００６】
【特許文献１】特開２００９−１８８６６１号公報
【特許文献２】特開２００２−２６２３１１号公報
【特許文献３】特開平９−２７５５２８号公報
【発明の概要】
【発明が解決しようとする課題】
【０００７】
ところで、上述した従来のテレビジョン受像機では、テレビジョン受像機の電源がオフになってから所定時間後（例えば１時間後）に、自動的に、オンエアーダウンロードを開始するようになっている。このため、ユーザがテレビジョン番組の視聴を終えて、一旦、テレビジョン受像機の電源をオフにすると、その後、所定時間後からオンエアーダウンロードが完了するまでの間は、ユーザはテレビジョン番組を視聴することができない。つまり、ユーザがテレビジョン番組を視聴しようとするときに、前回に電源をオフにしてから所定時間経過したことによりオンエアーダウンロードが行われていて、ユーザがテレビジョン番組を視聴することができないことがある。また、ユーザがテレビジョン番組を視聴しているときに、前回に電源をオフにしてから所定時間経過し、オンエアーダウンロードが開始されて、ユーザがテレビジョン番組を視聴することができなくなることもある。
【０００８】
このように、従来のテレビジョン受像機では、オンエアーダウンロード（テレビジョン放送局から放送されるソフトウェアのダウンロード）のために、ユーザがテレビジョン番組を視聴することができないことがあり、ユーザにとって不便であった。なお、上述した特許文献１乃至特許文献３に開示の内容を適用したとしても、上記の問題を解決することはできない。
【０００９】
本発明は、上記課題を解決するためになされたものであり、オンエアーダウンロードのためにユーザがテレビジョン番組を視聴することができないという事態を防ぐことができるテレビジョン受像機を提供することを目的とする。
【課題を解決するための手段】
【００１０】
上記目的を達成するために請求項１の発明は、テレビジョン放送局から放送されるテレビジョン番組の映像及び音声を出力するテレビジョン受像機において、テレビジョン放送局から放送されるソフトウェアをダウンロードするオンエアーダウンロード手段と、テレビジョン放送局から放送されるソフトウェアのダウンロードを開始するオンエアーダウンロード開始時刻を設定する開始時刻設定手段とを備え、開始時刻設定手段は、過去に自機の電源がオフになっていた時間帯に基いて、ユーザがテレビジョン放送局から放送されるテレビジョン番組を視聴していないと推定される時間帯に、テレビジョン放送局から放送されるソフトウェアのダウンロードを開始して該ダウンロードを完了し得るように、オンエアーダウンロード開始時刻を設定し、オンエアーダウンロード手段は、オンエアーダウンロード開始時刻に、ユーザがテレビジョン番組を視聴していない場合に、ソフトウェアのダウンロードを開始するものである。
【００１１】
請求項２の発明は、請求項１に記載のテレビジョン受像機において、開始時刻設定手段は、曜日毎における過去に自機の電源がオフになっていた時間帯に基いて、曜日毎にオンエアーダウンロード開始時刻を設定するものである。
【００１２】
請求項３の発明は、請求項２に記載のテレビジョン受像機において、開始時刻設定手段は、ある曜日におけるオンエアーダウンロード開始時刻を未だ設定していないときには、その曜日において、自機の電源がオフになったときから３時間以上、電源オフの状態が継続すると、自機の電源がオフになったときから１時間経過後の時刻を、その曜日におけるオンエアーダウンロード開始時刻として設定し、ある曜日におけるオンエアーダウンロード開始時刻を既に設定しているときには、その曜日において、自機の電源がオフになったときから３時間以上、電源オフの状態が継続すると、自機の電源がオフになったときから１時間経過後の時刻と既に設定されているオンエアーダウンロード開始時刻との平均の時刻を、その曜日におけるオンエアーダウンロード開始時刻として設定するものである。
【発明の効果】
【００１３】
請求項１の発明によれば、ユーザがテレビジョン番組を視聴していないと推定される時間帯に、オンエアーダウンロード（テレビジョン放送局から放送されるソフトウェアのダウンロード）を開始して該オンエアーダウンロードを完了し得るように、オンエアーダウンロード開始時刻が設定される。そして、その設定されたオンエアーダウンロード開始時刻に、実際にユーザによりテレビジョン番組が視聴されていなければ、オンエアーダウンロードが開始される。従って、ユーザがテレビジョン番組を視聴していないときにオンエアーダウンロードが実施（開始から完了まで）される可能性を高めることができる。これにより、オンエアーダウンロードのためにユーザがテレビジョン番組を視聴することができないという事態を防ぐことができ、ユーザにとって便利である。
【００１４】
請求項２の発明によれば、曜日毎に、オンエアーダウンロード開始時刻が設定されるため、より一層、ユーザがテレビジョン番組を視聴していないときにオンエアーダウンロードが実施される可能性を高めることができ、オンエアーダウンロードのためにユーザがテレビジョン番組を視聴することができないという事態をより確実に防ぐことができる。
【００１５】
請求項３の発明によれば、曜日毎に、最新のユーザのテレビジョン番組の視聴状況に応じて、オンエアーダウンロード開始時刻の設定が更新されるため、より一層、ユーザがテレビジョン番組を視聴していないときにオンエアーダウンロードが実施される可能性を高めることができ、オンエアーダウンロードのためにユーザがテレビジョン番組を視聴することができないという事態をより確実に防ぐことができる。
【図面の簡単な説明】
【００１６】
【図１】本発明の一実施形態に係るテレビジョン受像機の概略構成を示す電気的ブロック構成図。
【図２】同テレビジョン受像機のオンエアーダウンロード開始時刻の設定動作を示すフローチャート。
【発明を実施するための形態】
【００１７】
以下、本発明を具体化した実施形態によるテレビジョン受像機について図面を参照して説明する。図１は、本実施形態によるテレビジョン受像機の構成を示す。テレビジョン受像機１は、テレビジョン放送局から放送されるテレビジョン番組の映像及び音声を出力する機器である。
【００１８】
テレビジョン受像機１は、チューナ２と、デコーダ３と、ディスプレイ４と、スピーカ５と、リモコン６と、リモコン受信部７と、時計８と、テレビジョン受像機１の動作を制御する制御部９等を備える。制御部９は、テレビジョン受像機１の動作を制御するためのソフトウェアを記憶しており、そのソフトウェアに基いて、テレビジョン受像機１の各種動作を制御する。
【００１９】
このテレビジョン受像機１は、テレビジョン放送局から放送されるソフトウェア（テレビジョン受像機１の動作を制御するための新しいバージョンのソフトウェア）をダウンロードするオンエアーダウンロードを行うようになっている。
【００２０】
テレビジョン放送局は、映像信号（テレビジョン番組の映像信号）、音声信号（テレビジョン番組の音声信号）、及びソフトウェア（テレビジョン受像機１の動作を制御するための新しいバージョンのソフトウェア）、及びソフトウェアのバージョンを示すバージョン情報等を含んだテレビジョン信号を送信することにより、テレビジョン番組及びソフトウェアを放送する。
【００２１】
チューナ２は、制御部９による制御のもと、受信周波数がテレビジョン信号の放送チャンネルに対応する周波数に設定されることにより、その放送チャンネル（その周波数）のテレビジョン信号を受信する。
【００２２】
デコーダ３は、制御部９による制御のもと、チューナ２により受信したテレビジョン信号から、テレビジョン信号に含まれている映像信号及び音声信号を抽出する。デコーダ３により抽出された映像信号及び音声信号は、ディスプレイ４及びスピーカ５に供給される。また、デコーダ３は、制御部９による制御のもと、チューナ２により受信したテレビジョン信号から、テレビジョン信号に含まれているソフトウェア及びバージョン情報を抽出する。デコーダ３により抽出されたソフトウェア及びバージョン情報は、制御部９に与えられる。
【００２３】
ディスプレイ４は、制御部９による制御のもと、デコーダ３により抽出された映像信号に基く映像（すなわち、テレビジョン放送局から放送されているテレビジョン番組の映像）を表示する。スピーカ５は、制御部９による制御のもと、デコーダ３により抽出された音声信号に基く音声（すなわち、テレビジョン放送局から放送されているテレビジョン番組の音声）を出力する。
【００２４】
リモコン６は、テレビジョン受像機１の電源のオン／オフ、受信するテレビジョン信号の放送チャンネルの選択等、テレビジョン受像機１の各種動作を指示するためにユーザにより操作され、その操作内容を示す操作信号を送信する。リモコン受信部７は、リモコン６から送信された操作信号を受信して、リモコン６の操作内容を示すリモコン受信信号を出力する。時計８は、時間を計測して、時刻を示す時刻信号を出力する。
【００２５】
制御部９は、上述のように、テレビジョン受像機１の動作を制御するためのソフトウェアを記憶しており、そのソフトウェアに基いて、テレビジョン受像機１の各種動作を制御する。制御部９は、テレビジョン受像機１の各種動作として、テレビジョン受像機１の電源のオン／オフ、テレビジョン放送局から放送されるテレビジョン番組の出力、オンエアーダウンロード（テレビジョン放送局から放送されるソフトウェアのダウンロード）、オンエアーダウンロード開始時刻（オンエアーダウンロードを開始する時刻）の設定等を制御する。制御部９により、オンエアーダウンロード手段及び開始時刻設定手段が構成されている。
【００２６】
テレビジョン受像機１の電源のオン／オフは、制御部９による制御のもと、以下のようにして行われる。すなわち、制御部９は、ユーザにより電源オン操作がなされると、チューナ２、デコーダ３、ディスプレイ４、及びスピーカ５に電源を供給することにより、テレビジョン受像機１の電源をオンにし、ユーザにより電源オフ操作がなされると、チューナ２、デコーダ３、ディスプレイ４、及びスピーカ５への電源供給を断つことにより、テレビジョン受像機１の電源をオフにする。ユーザによる電源オン操作及び電源オフ操作は、リモコン６を用いて行われる。
【００２７】
なお、テレビジョン受像機１の電源のオン、オフに関わらず、時計８、リモコン受光部７、制御部９には、常に電源が供給されており、テレビジョン受像機１の電源がオフになっているときにも、時計８、リモコン受光部７、制御部９は動作している。また、制御部９は、テレビジョン受像機１の電源がオフのときでも、オンエアーダウンロードを行うときには、チューナ２及びデコーダ３に一時的に電源を供給する。
【００２８】
テレビジョン放送局から放送されるテレビジョン番組の出力は、制御部９による制御のもと、以下のようにして行われる。すなわち、制御部９は、ユーザにより選択された（リモコン６を操作して選択された）放送チャンネルのテレビジョン信号をチューナ２によって受信させ、デコーダ３によって、チューナ２により受信したテレビジョン信号から映像信号及び音声信号を抽出させる。そして、制御部９は、デコーダ３により抽出された映像信号に基く映像をディスプレイ４によって表示させると共に、デコーダ３により抽出された音声信号に基く音声をスピーカ５によって出力させる。テレビジョン放送局から放送されるテレビジョン番組の出力は、このようにして行われる。
【００２９】
制御部９は、オンエアーダウンロードを行っていないときに、ユーザにより電源オン操作がなされると、テレビジョン受像機１の電源をオンにして、テレビジョン放送局から放送されるテレビジョン番組の出力を開始し、そして、ユーザにより電源オフ操作がなされると、テレビジョン放送局から放送されるテレビジョン番組の出力を終了して、テレビジョン受像機１の電源をオフにする。
【００３０】
オンエアーダウンロードは、制御部９による制御のもと、以下のようにして行われる。すなわち、制御部９は、所定の放送チャンネル（テレビジョン受像機１のソフトウェアが放送されている放送チャンネル）のテレビジョン信号をチューナ２によって受信させ、デコーダ３によって、チューナ２により受信したテレビジョン信号からソフトウェアを抽出させる。そして、制御部９は、デコーダ３により抽出されたソフトウェアを取得し、制御部９のメモリに記憶しているソフトウェアを、その取得したソフトウェア（すなわち、テレビジョン放送局から放送されている新しいバージョンのソフトウェア）に更新（書き換え）する。オンエアーダウンロードは、このようにして行われる。
【００３１】
制御部９は、新しいバージョンのソフトウェアが放送されていて、事前に設定されたオンエアーダウンロード開始時刻に、テレビジョン受像機１の電源がオフになっている（すなわち、ユーザがテレビジョン番組を視聴していない）場合に、オンエアーダウンロードを開始する。すなわち、制御部９は、新しいバージョンのソフトウェアが放送されていて、事前に設定されたオンエアーダウンロード開始時刻に、テレビジョン受像機１の電源がオフになっていると、チューナ２及びデコーダ３に電源を供給して、オンエアーダウンロードを開始し、そして、オンエアーダウンロードを完了すると、チューナ２及びデコーダ３への電源供給を断つ。なお、新しいバージョンのソフトウェアが放送されているか否かは、制御部９によって判断される。制御部９は、テレビジョン受像機１の電源がオンになっているときに、デコーダ３によりテレビジョン信号から抽出されたバージョン情報に基いて、新しいバージョンのソフトウェアが放送されているか否かを判断する。
【００３２】
オンエアーダウンロード開始時刻の設定は、制御部９による制御のもと、以下のようにして行われる。すなわち、制御部９は、テレビジョン受像機１の電源をオン／オフしたときに時計６から出力される時刻信号に基いて、過去にテレビジョン受像機１の電源がオフになっていた時間帯を求め、そして、過去にテレビジョン受像機１の電源がオフになっていた時間帯に基いて、オンエアーダウンロード開始時刻を設定する。設定されたオンエアーダウンロード時刻は、制御部９のメモリに記憶される。このとき、制御部９は、過去にテレビジョン受像機１の電源がオフになっていた時間帯に基いて、ユーザがテレビジョン番組を視聴していないと推定される時間帯に、オンエアーダウンロード動作を開始して、そのオンエアーダウンロード動作を完了し得る（つまり、オンエアーダウンロードの開始から完了までを、ユーザがテレビジョン番組を視聴していないと推定される時間帯に行い得る）ように、オンエアーダウンロード開始時刻を設定する。
【００３３】
また、制御部９は、曜日毎における過去にテレビジョン受像機１の電源がオフになっていた時間帯に基いて、曜日毎にオンエアーダウンロード開始時刻を設定する。すなわち、制御部９は、オンエアーダウンロード開始時刻として、例えば、月曜日の午前２時３０分、火曜日の午前２時、水曜日の・・・、日曜日の午前１時のように、複数のオンエアーダウンロード開始時刻を設定する。
【００３４】
具体的には、制御部９は、ある曜日におけるオンエアーダウンロード開始時刻を未だ設定していないときには、その曜日において、テレビジョン受像機１の電源がオフになったときから３時間以上、電源オフの状態が継続すると、テレビジョン受像機１の電源がオフになったときから１時間経過後の時刻を、その曜日におけるオンエアーダウンロード開始時刻として設定する。つまり、この場合においては、制御部９は、テレビジョン受像機１の電源がオフになったときから１時間経過後の時刻をＴｐとすると、時刻Ｔｐ以降の時間帯が、「ユーザがテレビジョン番組を視聴していないと推定される時間帯」であると判断し、また、時刻Ｔｐにオンエアーダウンロードを開始すれば、「ユーザがテレビジョン番組を視聴していないと推定される時間帯に、オンエアーダウンロード動作を開始して、そのオンエアーダウンロード動作を完了し得る」と判断して、時刻Ｔｐを、その曜日におけるオンエアーダウンロード開始時刻として設定する。
【００３５】
また、制御部９は、ある曜日におけるオンエアーダウンロード開始時刻を既に設定しているときには、その曜日において、テレビジョン受像機１の電源がオフになったときから３時間以上、電源オフの状態が継続すると、テレビジョン受像機１の電源がオフになったときから１時間経過後の時刻と既に設定されているオンエアーダウンロード開始時刻との平均の時刻を、その曜日における次回以降のオンエアーダウンロード開始時刻として設定（その曜日におけるオンエアーダウンロード開始時刻の設定を更新）する。つまり、この場合においては、制御部９は、テレビジョン受像機１の電源がオフになったときから１時間経過後の時刻と既に設定されているオンエアーダウンロード開始時刻との平均の時刻をＴｑとすると、時刻Ｔｑ以降の時間帯が、「ユーザがテレビジョン番組を視聴していないと推定される時間帯」であると判断し、また、時刻Ｔｑにオンエアーダウンロードを開始すれば、「ユーザがテレビジョン番組を視聴していないと推定される時間帯に、オンエアーダウンロード動作を開始して、そのオンエアーダウンロード動作を完了し得る」と判断して、時刻Ｔｑを、その曜日における次回以降のオンエアーダウンロード開始時刻として設定する。
【００３６】
従って、例えば、月曜日におけるオンエアーダウンロードが未だ設定されていない状態で、ユーザが月曜日の午前２時に電源をオフして午前６時に電源をオンしたとすると、制御部９は、電源がオフになってから１時間経過後の午前３時を、月曜日におけるオンエアーダウンロード開始時刻として設定する。また、例えば、ユーザが次の週の月曜日の午前１時に電源をオフして午前６時に電源をオンしたとすると、制御部９は、電源がオフになってから１時間経過後の午前２時と既に設定されている月曜日におけるオンエアーダウンロード開始時刻の午前３時との平均の時刻である午前２時３０分を、月曜日における次回以降のオンエアーダウンロード開始時刻として設定する。他の曜日についても同様である。オンエアーダウンロード開始時刻の設定は、このようにして行われる。このようにオンエアーダウンロード開始時刻を設定することにより、ユーザがテレビジョン番組を視聴していないと推定される時間帯に、オンエアーダウンロード動作を開始して、そのオンエアーダウンロード動作を完了し得ることができ、ユーザがテレビジョン番組を視聴していないときにオンエアーダウンロードが実施（開始から完了まで）される可能性を高めることができる。
【００３７】
図２は、上記テレビジョン受像機１のオンエアーダウンロード開始時刻の設定動作のフローチャートを示す。ユーザの操作によりテレビジョン受像機１の電源がオフになると（＃１でＹＥＳ）、制御部９は、テレビジョン受像機１の電源がオフになったときの時刻（そのときに時計８から出力されている時刻信号の示す時刻）を記憶（制御部９のメモリに記憶）する（＃２）。
【００３８】
その後、ユーザの操作によりテレビジョン受像機１の電源がオンになると（＃３でＹＥＳ）、制御部９は、テレビジョン受像機１の電源がオフになったときの時刻（＃２で記憶した時刻）とテレビジョン受像機１の電源がオンになったときの時刻（そのときに時計８から出力されている時刻信号の示す時刻）から、テレビジョン受像機１の電源がオフになっていた時間を算出する（＃４）。
【００３９】
ここで、テレビジョン受像機１の電源がオフになっていた時間が３時間以上であれば（＃５でＹＥＳ）、制御部９は、テレビジョン受像機１がオフになったときと同じ曜日におけるオンエアーダウンロード開始時刻が既に設定されているか否かを判定する（＃６）。このとき、制御部９は、テレビジョン受像機１の電源がオフになったときから１時間経過後の時刻を時刻Ｔｐとすると、既に設定されているオンエアーダウンロード開始時刻（例えば、月曜日の午前２時３０分、火曜日の午前２時、水曜日の・・・）のうち、時刻Ｔｐ±所定時間（例えば±３時間）の時間帯の時刻に該当するものがあれば、同じ曜日におけるオンエアーダウンロード開始時刻が既に設定されていると判断し、そうでなければ、同じ曜日におけるオンエアーダウンロード開始時刻が未だ設定されていないと判断する。
【００４０】
そして、テレビジョン受像機１がオフになったときと同じ曜日におけるオンエアーダウンロード開始時刻が未だ設定されていなければ（＃６でＮＯ）、制御部９は、テレビジョン受像機１の電源がオフになったときから１時間経過後の時刻を、その曜日におけるオンエアーダウンロード開始時刻として設定する（＃７）。その後、制御部９は、上記＃１以降の処理を繰り返す。
【００４１】
また、テレビジョン受像機１がオフになったときと同じ曜日におけるオンエアーダウンロード開始時刻が既に設定されていれば（＃６でＹＥＳ）、制御部９は、テレビジョン受像機１の電源がオフになったときから１時間経過後の時刻と既に設定されている同じ曜日におけるオンエアーダウンロード開始時刻との平均の時刻を、新規に、その曜日における次回以降のオンエアーダウンロード開始時刻として設定（その曜日におけるオンエアーダウンロード開始時刻の設定を更新）する（＃８）。その後、制御部９は、上記＃１以降の処理を繰り返す。また、テレビジョン受像機１の電源がオフになっていた時間が３時間以上でなければ（＃５でＮＯ）、制御部９は、上記＃１以降の処理を繰り返す。
【００４２】
このような構成のテレビジョン受像機１によれば、ユーザがテレビジョン番組を視聴していないと推定される時間帯に、オンエアーダウンロード（テレビジョン放送局から放送されるソフトウェアのダウンロード）を開始して該オンエアーダウンロードを完了し得るように、オンエアーダウンロード開始時刻が設定される。そして、その設定されたオンエアーダウンロード開始時刻に、実際にユーザによりテレビジョン番組が視聴されていなければ、オンエアーダウンロードが開始される。従って、ユーザがテレビジョン番組を視聴していないときにオンエアーダウンロードが実施（開始から完了まで）される可能性を高めることができる。これにより、オンエアーダウンロードのためにユーザがテレビジョン番組を視聴することができないという事態を防ぐことができ、ユーザにとって便利である。
【００４３】
しかも、曜日毎に、オンエアーダウンロード開始時刻が設定されるため、より一層、ユーザがテレビジョン番組を視聴していないときにオンエアーダウンロードが実施される可能性を高めることができ、オンエアーダウンロードのためにユーザがテレビジョン番組を視聴することができないという事態をより確実に防ぐことができる。
【００４４】
また、曜日毎に、最新のユーザのテレビジョン番組の視聴状況に応じて、オンエアーダウンロード開始時刻の設定が更新されるため、より一層、ユーザがテレビジョン番組を視聴していないときにオンエアーダウンロードが実施される可能性を高めることができ、オンエアーダウンロードのためにユーザがテレビジョン番組を視聴することができないという事態をより確実に防ぐことができる。
【００４５】
なお、本発明は、上記実施形態の構成に限られず、種々の変形が可能である。例えば、テレビジョン受像機の電源が３時間以上オフになっている時間帯（ユーザが３時間以上に亘ってテレビジョン番組を視聴しない時間帯）が、１日に（２４時間内に）複数存在する場合には、それらの各時間帯に対応して、１日に（２４時間内に）複数のオンエアーダウンロード開始時刻を設定するようにしてもよい。また、オンエアーダウンロード開始時刻にテレビジョン受像機の電源がオンになっていた（ユーザがテレビジョン番組を視聴していた）場合には、そのオンエアーダウンロード開始時刻の設定を消去するようにしてもよい。
【符号の説明】
【００４６】
１    テレビジョン受像機
２    チューナ
３    デコーダ
４    ディスプレイ
５    スピーカ
６    リモコン
７    リモコン受信部
８    時計
９    制御部（オンエアーダウンロード手段、開始時刻設定手段）
【図１】
2011114638.tif 000003
【図２】
2011114638.tif 000004